(57)【特許請求の範囲】
【請求項１】
通信を行う通信部と、
情報を出力する出力部と、
広告コンテンツに示される広告対象の提供場所と当該提供場所の周辺の状態に関する条件を含む表示条件と当該広告コンテンツと前記広告対象の種別とを関連付けて記憶するデータ管理部と、
前記通信部を介して将来の前記広告対象の提供場所の周辺の予測状態を含む周辺予測状態情報を受信する情報受信制御部と、
前記周辺予測状態情報に含まれる将来の前記広告対象の提供場所の周辺の予測状態に基づいて現在時刻以降の所定の時間帯における前記提供場所の周辺の予測状態を認識し、前記データ管理部を参照することにより前記所定の時間帯における前記提供場所の周辺の予測状態が前記表示条件を充足する広告コンテンツを抽出し、前記抽出された広告コンテンツを前記出力部に出力する広告コンテンツ出力制御部と、
付近にある端末と通信する近距離通信部とを備え、
前記広告コンテンツ出力制御部は、前記広告対象の種別が前記端末から受信した前記端末のユーザの嗜好と合致することを必要条件として、前記広告コンテンツを前記出力部に出力し、前記端末から受信した前記端末のユーザの嗜好と前記広告対象の種別とが合致するユーザの数を認識し、当該ユーザの数が所定数以上又は通信する端末の数の所定割合以上である場合に、広告コンテンツの出力時間を当該ユーザの数が所定数未満又は通信する端末の数の所定割合未満である場合よりも長くすることを特徴とするデジタルサイネージシステム。
【請求項２】
請求項１記載のデジタルサイネージシステムにおいて、
前記表示条件は、前記提供場所の天候が所定の天候であるという条件を含み、
前記周辺予測状態情報は、前記広告対象の提供場所の周辺の天気予報を含む情報であることを特徴とするデジタルサイネージシステム。
【請求項３】
請求項１又は２記載のデジタルサイネージシステムにおいて、
前記所定の時間帯は、当該広告コンテンツに示される広告対象の提供場所へ前記広告コンテンツの視聴者が到着すると予測される時刻である予測到着時刻を含む時間帯であることを特徴とするデジタルサイネージシステム。
【請求項４】
請求項３記載のデジタルサイネージシステムにおいて、
前記デジタルサイネージシステムは移動体に搭載され、
前記広告コンテンツ出力制御部は、前記移動体の目的地又は経由地を認識し、前記提供場所と前記目的地又は前記経由地とが所定距離内であることを必要条件として、前記広告コンテンツを前記出力部に出力し、
前記予測到着時刻は前記目的地又は経由地に前記移動体に搭乗した前記広告コンテンツの視聴者が到着すると予測される時刻であることを特徴とするデジタルサイネージシステム。
【請求項５】
請求項１〜４のうちいずれか１項記載のデジタルサイネージシステムにおいて、
前記所定の時間帯は、当該広告コンテンツに示される広告対象の購入又は享受の予測開始時刻及び予測完了時刻を含む時間帯であり、
前記広告コンテンツ出力制御部は、前記データ管理部を参照することにより、前記予測開始時刻から前記予測完了時刻までの前記提供場所の周辺の予測状態が前記表示条件を充足する広告コンテンツを抽出し、前記抽出された広告コンテンツを前記出力部に出力するように構成されていることを特徴とするデジタルサイネージシステム。
【請求項６】
通信を行う通信部と、
情報を出力する出力部と、
広告コンテンツに示される広告対象の提供場所と当該提供場所の周辺の状態に関する条件を含む表示条件と当該広告コンテンツと前記広告対象の種別とを関連付けて記憶するデータ管理部と、
前記通信部を介して将来の前記広告対象の提供場所の周辺の予測状態を含む周辺予測状態情報を受信する情報受信制御部と、
前記周辺予測状態情報に含まれる将来の前記広告対象の提供場所の周辺の予測状態に基づいて現在時刻以降の所定の時間帯における前記提供場所の周辺の予測状態を認識し、前記データ管理部を参照することにより前記所定の時間帯における前記提供場所の周辺の予測状態が前記表示条件を充足する広告コンテンツを抽出し、前記抽出された広告コンテンツを前記出力部に出力する広告コンテンツ出力制御部と、
付近にある端末と通信する近距離通信部とを備え、
前記広告コンテンツ出力制御部は、広告コンテンツの出力中に前記端末から前記端末のユーザの嗜好を受信し、次回以降に、受信した前記端末のユーザの嗜好が広告コンテンツの種別と合致することを必要条件として、前記広告コンテンツを前記出力部に出力することを特徴とするデジタルサイネージシステム。
【請求項７】
通信を行う通信部と、
情報を出力する出力部と、
付近にある端末と通信する近距離通信部と、
広告コンテンツと当該広告コンテンツの広告対象の種別とを関連付けて記憶するデータ管理部と、
前記広告対象の種別が前記端末から受信した前記端末のユーザの嗜好と合致することを必要条件として、前記広告コンテンツを前記出力部に出力し、前記端末から受信した前記端末のユーザの嗜好と前記広告対象の種別とが合致するユーザの数を認識し、当該ユーザの数が所定数以上又は通信する端末の数の所定割合以上である場合に、前記広告コンテンツの出力時間を当該ユーザの数が所定数未満又は通信する端末の数の所定割合未満である場合よりも長くする広告コンテンツ出力制御部とを備えることを特徴とするデジタルサイネージシステム。
【請求項８】
通信を行う通信部と、
情報を出力する出力部と、
付近にある端末と通信する近距離通信部と、
広告コンテンツと当該広告コンテンツの広告対象の種別とを関連付けて記憶するデータ管理部と、
広告コンテンツの出力中に前記端末から前記端末のユーザの嗜好を受信し、次回以降に、受信した前記端末のユーザの嗜好が当該広告コンテンツの広告対象の種別と合致することを必要条件として、前記広告コンテンツを前記出力部に出力する広告コンテンツ出力制御部とを備えることを特徴とするデジタルサイネージシステム。
【請求項９】
通信を行う通信部と、情報を出力する出力部と、広告コンテンツに示される広告対象の提供場所と当該提供場所の周辺の状態に関する条件を含む表示条件と当該広告コンテンツと前記広告対象の種別とを関連付けて記憶するデータ管理部と、付近にある端末と通信する近距離通信部とを備えるシステムが実行する方法であって、
前記広告対象の種別が前記端末から受信した前記端末のユーザの嗜好と合致することを必要条件として前記広告コンテンツを前記出力部に出力する第１ステップと、
前記端末から受信した前記端末のユーザの嗜好と前記広告対象の種別とが合致するユーザの数を認識する第２ステップとを含み、
前記第１ステップは、当該ユーザの数が所定数以上又は通信する端末の数の所定割合以上である場合に、当該ユーザの数が所定数未満又は通信する端末の数の所定割合未満である場合よりも出力時間が長い前記広告コンテンツを前記出力部に出力するステップであることを特徴とするデジタルサイネージ方法。
【請求項１０】
通信を行う通信部と、情報を出力する出力部と、広告コンテンツに示される広告対象の提供場所と当該提供場所の周辺の状態に関する条件を含む表示条件と当該広告コンテンツと前記広告対象の種別とを関連付けて記憶するデータ管理部と、付近にある端末と通信する近距離通信部とを備えるシステムが実行する方法であって、
広告コンテンツの出力中に前記端末から前記端末のユーザの嗜好を受信するステップと、
次回以降に、受信した前記端末のユーザの嗜好が当該広告コンテンツの広告対象の種別と合致することを必要条件として、前記広告コンテンツを前記出力部に出力するステップと、
を含むことを特徴とするデジタルサイネージ方法。
【発明の詳細な説明】
【技術分野】
【０００１】
本発明は、デジタルサイネージシステム及びデジタルサイネージ方法に関する。
【背景技術】
【０００２】
従来、デジタルサイネージシステム（電子看板システム）が知られている。
【０００３】
デジタルサイネージシステムでは、ビデオディスプレイ装置に広告等の情報を含む広告コンテンツが出力される。これにより、出力される広告コンテンツを容易に入れ替えることが出来る。
【０００４】
例えば、特許文献１には、天気等の周辺の状態に関する情報である外部状態情報を取得する外部状態取得装置と、デジタルサイネージシステムの管理者が設定した広告コンテンツの配信条件と外部状態情報とが一致する場合に当該広告コンテンツを配信する広告コンテンツ配信制御手段と、を備えるサイネージ再生システムが記載されている。
【０００５】
特許文献１記載の技術によれば、デジタルサイネージシステムの管理者が設定した広告コンテンツの配信条件と外部状態情報とが一致する場合に当該広告コンテンツが配信されるので、天気等の周辺の状態がデジタルサイネージシステムの管理者の意図と乖離している広告コンテンツが配信されることが回避される。
【先行技術文献】
【特許文献】
【０００６】
【特許文献１】特開２０１３−１８６７９１号公報
【発明の概要】
【発明が解決しようとする課題】
【０００７】
しかしながら、表示される広告コンテンツによっては、その広告コンテンツの視聴者がその広告コンテンツに示される物又はサービス等の広告対象を購入又は享受しようと考えたとしても、その購入又は享受までに時間がかかってしまうことによって、天気等の周辺の状態が変化してしまい、購入時又は享受時における周辺の状態が広告対象に不適になる可能性もある。この結果、広告の効果が薄れる可能性がある。
【０００８】
そこで、本発明は、広告コンテンツ視聴時から広告対象が購入又は享受されるまでの周辺の状態の変化を勘案した広告コンテンツを配信できるデジタルサイネージシステムを提供することを第１の目的とする。
また、本発明は、広告コンテンツ視聴者の購入意欲又は享受意欲を刺激することが出来るデジタルサイネージシステム及びデジタルサイネージ方法を提供することを第２の目的とする。
【課題を解決するための手段】
【０００９】
本発明のデジタルサイネージシステムは、
通信を行う通信部と、
情報を出力する出力部と、
広告コンテンツに示される広告対象の提供場所と当該提供場所の周辺の状態に関する条件を含む表示条件と当該広告コンテンツと前記広告対象の種別とを関連付けて記憶するデータ管理部と、
前記通信部を介して将来の前記広告対象の提供場所の周辺の予測状態を含む周辺予測状態情報を受信する情報受信制御部と、
前記周辺予測状態情報に含まれる将来の前記広告対象の提供場所の周辺の予測状態に基づいて現在時刻以降の所定の時間帯における前記提供場所の周辺の予測状態を認識し、前記データ管理部を参照することにより前記所定の時間帯における前記提供場所の周辺の予測状態が前記表示条件を充足する広告コンテンツを抽出し、前記抽出された広告コンテンツを前記出力部に出力する広告コンテンツ出力制御部と、
付近にある端末と通信する近距離通信部とを備え、
前記広告コンテンツ出力制御部は、前記広告対象の種別が前記端末から受信した前記端末のユーザの嗜好と合致することを必要条件として、前記広告コンテンツを前記出力部に出力し、前記端末から受信した前記端末のユーザの嗜好と前記広告対象の種別とが合致するユーザの数を認識し、当該ユーザの数が所定数以上又は通信する端末の数の所定割合以上である場合に、広告コンテンツの出力時間を当該ユーザの数が所定数未満又は通信する端末の数の所定割合未満である場合よりも長くすることを特徴とする。
【００１０】
本発明のデジタルサイネージシステムによれば、情報受信制御部により、通信部を介して周辺予測状態情報が受信される。ここで、当該周辺予測状態情報には、将来の前記広告対象の提供場所の周辺の予測状態が含まれている。
【００１１】
広告コンテンツ出力制御部は、この将来の提供場所の周辺の予測状態に基づいて現在時刻以降の所定の時間帯における前記提供場所の周辺の予測状態を認識し、データ管理部を参照することにより当該所定の時間帯における前記提供場所の周辺の予測状態が表示条件を充足する広告コンテンツを抽出して、当該広告コンテンツを出力部に出力する。
【００１２】
ここで、広告対象によっては、広告対象の提供場所がデジタルサイネージシステムから離れた位置にあるために視聴者が広告対象の提供場所まで移動しなければならなかったり、一定の時間継続して享受するサービスであったりする可能性がある。このように広告対象によっては、視聴者が広告対象を購入又は享受するタイミングが現在ではなく所定時間後であると想定されるような場合がある。
【００１３】
本発明のデジタルサイネージシステムによれば、このような場合であっても、広告コンテンツ出力制御部により、現在時刻以降の所定の時間帯における前記提供場所の周辺の予測状態が表示条件を充足する広告コンテンツが出力部に出力されるので、視聴者が広告対象を購入するタイミングにおける前記提供場所の周辺の状態が広告対象に適する蓋然性を高めることができる。
【００１４】
このように、本発明のデジタルサイネージシステムによれば、広告コンテンツ視聴時から広告対象が購入又は享受されるまでの周辺の状態の変化を勘案した広告コンテンツが配信される。
また、当該構成のデジタルサイネージシステムによれば、提供場所の周辺の状態が所定の状態であり、かつ、広告対象の種別が端末から受信した端末のユーザの嗜好と合致するという条件を充足する広告コンテンツが出力されるので、よりユーザの購入意欲又は享受意欲を刺激することが出来る。
また、当該構成のデジタルサイネージシステムによれば、前記端末から受信した前記端末のユーザの嗜好と前記広告対象の種別とが合致するユーザの数が所定数以上又は通信する端末の数の所定割合以上である場合に、広告コンテンツの出力時間が当該ユーザの数が所定数未満又は通信する端末の数の所定割合未満である場合よりも長くなる。これにより、広告対象に興味を持っているユーザが多い場合には、比較的長時間の広告コンテンツが出力され、多くのユーザに効果的に広告対象を広告できる。また、広告対象に興味を持っているユーザが少ない場合には、広告コンテンツが短時間で切り替わるので、多くの広告コンテンツが出力されることとなり、ひいては、より多くのユーザに対し、それぞれのユーザがそれぞれ興味を持ちうる広告コンテンツが出力されうる。
従って、当該構成のデジタルサイネージシステムによれば、広告対象のユーザの興味の多寡に応じて、効果的に広告を行うことが出来る。
【００１５】
本発明のデジタルサイネージシステムにおいて、
前記表示条件は、前記提供場所の天候が所定の天候であるという条件を含み、
前記周辺予測状態情報は、前記広告対象の提供場所の周辺の天気予報を含む情報であることが好ましい。
【００１６】
広告コンテンツに示される当該物又は当該サービス等の広告対象の提供場所の天候は、当該広告対象の購入意欲又は享受意欲に大きく影響を与えるところ、当該構成のデジタルサイネージシステムによれば、所定の時間帯における当該提供場所の天候が所定の天候である場合に広告コンテンツが出力部に出力される。
【００１７】
これにより、広告対象の購入時又は享受時における提供場所の天候が当該広告対象の購入意欲又は享受意欲を損なう蓋然性が高い場合における広告コンテンツの出力が回避される。
【００１８】
本発明のデジタルサイネージシステムにおいて、
前記所定の時間帯は、当該広告コンテンツに示される広告対象の提供場所へ前記広告コンテンツの視聴者が到着すると予測される時刻である予測到着時刻を含む時間帯であることが好ましい。
【００１９】
当該構成のデジタルサイネージシステムによれば、予測到着時刻を含む時間帯における広告対象の提供場所の周辺の予測状態が勘案された広告コンテンツが出力される。
【００２０】
これにより、広告対象の提供場所がデジタルサイネージシステムから離れた場所にあっても、広告対象の購入時又は享受時における提供場所の状態が適する蓋然性の高い広告コンテンツが出力される。
【００２１】
当該構成のデジタルサイネージシステムにおいて、
前記デジタルサイネージシステムは移動体に搭載され、
前記広告コンテンツ出力制御部は、前記移動体の目的地又は経由地を認識し、前記提供場所と前記目的地又は前記経由地とが所定距離内であることを必要条件として、前記広告コンテンツを前記出力部に出力し、
前記予測到着時刻は前記目的地又は経由地に前記移動体に搭乗した前記広告コンテンツの視聴者が到着すると予測される時刻であることが好ましい。
【００２２】
当該構成のデジタルサイネージシステムによれば、デジタルサイネージシステムが移動体に搭載されている場合であっても、移動体の目的地又は経由地の近辺で提供される広告対象を含む広告コンテンツのうち、前記予測到着時刻を含む時間帯において周辺の状態が表示条件を充足する広告コンテンツが出力される。これにより、広告コンテンツの視聴者が訪れる蓋然性の高い場所に関連した広告コンテンツのうち、広告対象の購入時又は享受時における提供場所の状態が適する蓋然性の高い広告コンテンツが表示される。
【００２３】
本発明のデジタルサイネージシステムにおいて、
前記所定の時間帯は、当該広告コンテンツに示される広告対象の購入又は享受の予測開始時刻及び予測完了時刻を含む時間帯であり、
前記広告コンテンツ出力制御部は、前記データ管理部を参照することにより、前記予測開始時刻から前記予測完了時刻までの前記提供場所の周辺の予測状態が前記表示条件を充足する広告コンテンツを抽出し、前記抽出された広告コンテンツを前記出力部に出力するように構成されていることが好ましい。
【００２４】
特許文献１記載の技術では、外部状態取得装置により取得された外部状態情報が広告コンテンツの配信条件を充足する場合、すなわち、現在の外部状態情報が広告コンテンツの配信条件を充足する場合に広告コンテンツが出力されるにとどまり、現在時刻以降の外部状態情報が勘案されていないので、例えば、屋外のサービスを所定時間継続して享受するような場合、サービスの享受中に雨が降ることによりサービスの享受の継続が難しくなるようなことも考えられる。この結果、このサービスに対する顧客の満足度が低下するおそれもある。
【００２５】
これに対して、当該構成のデジタルサイネージシステムによれば、予測開始時刻から予測完了時刻までの前記提供場所の周辺の予測状態が前記表示条件を充足する広告コンテンツが抽出され、前記出力部に出力される。
【００２６】
これにより、屋外のサービスを所定時間継続して享受する場合のような、広告対象の購入又は享受の開始から完了までに時間がかかる場合であっても、開始から完了までの広告対象の提供場所の周辺の状態が広告対象に不適になるような広告コンテンツの出力が回避される。この結果、広告対象の購入又は享受が途中で中断されるような事態が回避されるので、広告対象に対する顧客の満足度が低下することが回避される。
【００３２】
本発明のデジタルサイネージシステムは、
通信を行う通信部と、
情報を出力する出力部と、
広告コンテンツに示される広告対象の提供場所と当該提供場所の周辺の状態に関する条件を含む表示条件と当該広告コンテンツと前記広告対象の種別とを関連付けて記憶するデータ管理部と、
前記通信部を介して将来の前記広告対象の提供場所の周辺の予測状態を含む周辺予測状態情報を受信する情報受信制御部と、
前記周辺予測状態情報に含まれる将来の前記広告対象の提供場所の周辺の予測状態に基づいて現在時刻以降の所定の時間帯における前記提供場所の周辺の予測状態を認識し、前記データ管理部を参照することにより前記所定の時間帯における前記提供場所の周辺の予測状態が前記表示条件を充足する広告コンテンツを抽出し、前記抽出された広告コンテンツを前記出力部に出力する広告コンテンツ出力制御部と、
付近にある端末と通信する近距離通信部とを備え、
前記広告コンテンツ出力制御部は、広告コンテンツの出力中に前記端末から前記端末のユーザの嗜好を受信し、次回以降に、受信した前記端末のユーザの嗜好が広告コンテンツの種別と合致することを必要条件として、前記広告コンテンツを前記出力部に出力するように構成されていてもよい。
【００３３】
当該構成のデジタルサイネージシステムによれば、広告コンテンツの出力中に端末からユーザの嗜好を受信し、次回以降に、当該ユーザの嗜好と合致する広告コンテンツをシステム画像表示部に表示する。
【００３４】
これにより、当初ユーザの嗜好に合致しなかった広告対象でも、受信後の当該ユーザの嗜好が合致していれば、当該広告対象の広告コンテンツが出力部に出力される。
【００３５】
従って、ユーザの嗜好の変化に適したコンテンツが出力部に出力されるので、ユーザの購買意欲又は享受意欲をより刺激することが出来る。
【００３６】
加えて、この広告コンテンツは、所定の時間帯における現在地の周辺予測状態が表示条件を充足するものであるので、将来における周辺の状態が広告対象に適する蓋然性が高い。このため、ユーザの嗜好に合致していても、将来における周辺の状態が広告対象に適さない蓋然性が高い場合には、広告コンテンツの表示が回避されるので、ユーザのデジタルサイネージシステムへの信頼を損なうこともない。
【００３７】
本発明のデジタルサイネージ方法は、
通信を行う通信部と、情報を出力する出力部と、広告コンテンツに示される広告対象の提供場所と当該提供場所の周辺の状態に関する条件を含む表示条件と当該広告コンテンツと前記広告対象の種別とを関連付けて記憶するデータ管理部と、付近にある端末と通信する近距離通信部とを備えるシステムが実行する方法であって、
前記広告対象の種別が前記端末から受信した前記端末のユーザの嗜好と合致することを必要条件として前記広告コンテンツを前記出力部に出力する第１ステップと、
前記端末から受信した前記端末のユーザの嗜好と前記広告対象の種別とが合致するユーザの数を認識する第２ステップとを含み、
前記第１ステップは、当該ユーザの数が所定数以上又は通信する端末の数の所定割合以上である場合に、当該ユーザの数が所定数未満又は通信する端末の数の所定割合未満である場合よりも出力時間が長い前記広告コンテンツを前記出力部に出力するステップであることを特徴とする。
【００３８】
本発明のデジタルサイネージ方法をシステムに適用して実施することによって、上述した本発明のデジタルサイネージシステムと同様の作用効果を得ることができる。
本発明のデジタルサイネージ方法は、
通信を行う通信部と、情報を出力する出力部と、広告コンテンツに示される広告対象の提供場所と当該提供場所の周辺の状態に関する条件を含む表示条件と当該広告コンテンツと前記広告対象の種別とを関連付けて記憶するデータ管理部と、付近にある端末と通信する近距離通信部とを備えるシステムが実行する方法であって、
広告コンテンツの出力中に前記端末から前記端末のユーザの嗜好を受信するステップと、
次回以降に、受信した前記端末のユーザの嗜好が当該広告コンテンツの広告対象の種別と合致することを必要条件として、前記広告コンテンツを前記出力部に出力するステップと、
を含んでもよい。
【図面の簡単な説明】
【００３９】
【図１】第１実施形態のデジタルサイネージの全体構成図。
【図２】図２Ａは、システム制御部の構成を示す図、図２Ｂは、データ管理部の構成を示す図、図２Ｃは、携帯端末の構成を示す図。
【図３】周辺予測状態情報リストの構成を示す図。
【図４】広告コンテンツのメタデータリストの構成を示す図。
【図５】放送受信処理のフローチャート。
【図６】放送波受信時にどの情報をどこに記憶するかを示す図。
【図７】携帯端末連動処理のフローチャート。
【図８】図８Ａは、属性入力画面の構成を示す図、図８Ｂは、デジタルサイネージシステム操作画面の構成を示す図、図８Ｃは、クリップ情報確認画面の構成を示す図。
【図９】属性設定の構成を示す図。
【図１０】広告コンテンツ表示処理のフローチャート。
【図１１】視聴者の興味と時刻と現在地と再生される広告コンテンツとの関連を示した図で、図１１Ａは、周辺予測状態に応じて表示される広告コンテンツが変化することを示す図で、図１１Ｂ及び図１１Ｃは、視聴者の嗜好の設定が更新させることで表示される広告コンテンツが変化することを示した図。
【図１２】第２実施形態のデジタルサイネージシステムの全体構成図。
【図１３】目的地に適した広告コンテンツ表示処理のフローチャート。
【発明を実施するための形態】
【００４０】
（第１実施形態）
図１〜図１１を参照して、本発明の第１実施形態のデジタルサイネージシステム１００について説明する。
【００４１】
（デジタルサイネージシステムの構成）
デジタルサイネージシステム１００は、図１に示されるように、システム制御部１１０と、データ管理部１２０と、システム画像表示部１３０と、放送受信部１４１と、システム通信部１４２とを備える。
【００４２】
システム制御部１１０は、ＣＰＵ（Ｃｅｎｔｒａｌ  Ｐｒｏｃｅｓｓｉｎｇ  Ｕｎｉｔ）及びメモリ等により構成された電子回路ユニットを含んで構成され、メモリに記憶されたデジタルサイネージシステム１００の制御プログラムを読み込んで実行することにより、後述する演算処理を実行する情報受信制御部１１１及び広告コンテンツ出力制御部１１２として機能する（図２Ａ参照）。
【００４３】
システム画像表示部１３０は、ディスプレイにより構成され、動画又は静止画の広告コンテンツを表示するように機能する。本発明のデジタルサイネージシステム及びデジタルサイネージ方法の「出力部」に相当する。これに加えてまたは代えて、スピーカが本発明のデジタルサイネージシステム及びデジタルサイネージ方法の「出力部」として採用されてもよい。
【００４４】
放送受信部１４１は、放送受信機により構成され、放送送信所Ｂからのマルチメディア放送の放送波を受信するように機能する。なお、放送受信部１４１が、本発明のデジタルサイネージシステム及びデジタルサイネージ方法の「通信部」に相当する。
【００４５】
システム通信部１４２は、ＷｉＦｉ（登録商標）等の無線通信に適した通信規格に従って付近の第１視聴者Ａ１又は第２視聴者Ａ２が携帯している携帯端末２００等の外部端末と相互通信するよう構成されている。なお、システム通信部１４２、本発明のデジタルサイネージシステムの「近距離通信部」に相当する。
【００４６】
データ管理部１２０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びＨＤＤ（Ｈａｒｄ  Ｄｉｓｋ  Ｄｒｉｖｅ）等の記憶装置（主記憶装置及び補助記憶装置等）並びにＩ／Ｏ（Ｉｎｐｕｔ／Ｏｕｔｐｕｔ）回路により構成されている。データ管理部１２０は、図２Ｂに示さされるように、シナリオ管理部１２１、周辺予測状態情報管理部１２２、広告コンテンツ管理部１２３、メタデータ管理部１２４、システムデータ管理部１２５及び属性設定管理部１２６を備える。
【００４７】
シナリオ管理部１２１は、システム画像表示部１３０に表示させるための広告コンテンツの表示順を定めるシナリオを記憶するように機能する。また、シナリオ管理部１２１は、現在表示している広告コンテンツを識別するための広告コンテンツＩＤを記憶している。
【００４８】
周辺予測状態情報管理部１２２は、図３に示されるような、周辺予測状態情報リストを記憶するように機能する。周辺予測状態情報リストは、周辺予測状態情報ＩＤカラム１２２１と、予測対象時間帯カラム１２２２と、予測対象場所カラム１２２３と、周辺予測状態カラム１２２４とを含む。
【００４９】
周辺予測状態情報ＩＤカラム１２２１は、周辺予測状態情報のそれぞれを識別するための周辺予測状態情報ＩＤを格納する。予測対象時間帯カラム１２２２は、予測対象の時間帯を格納する。予測対象場所カラム１２２３は、予測対象の場所を格納するカラムである。予測対象場所カラム１２２３の値は、地域又は施設名であってもよいし、緯度及び経度によって表されてもよい。予測対象場所カラム１２２３の値は、地点を示す値であってもよいし、ある程度広がりを持つ地域を示す値であってもよい。周辺予測状態カラム１２２４は、予測対象の時間帯及び予測対象の地域における周辺の予測状態を格納するカラムである。周辺予測状態カラム１２２４には、例えば、天候、降水確率及び気温等の天気予報又は「■■でタイムセール中」等のイベント情報が格納されうる。
【００５０】
広告コンテンツ管理部１２３は、システム画像表示部１３０に表示させるための広告コンテンツを記憶するように機能する。
【００５１】
メタデータ管理部１２４は、広告コンテンツに関するメタデータのリストを記憶するように機能する。メタデータのリストは、図４に示されるように、広告コンテンツＩＤカラム１２４１と、表示条件カラム１２４２と、基準時カラム１２４３と、属性情報カラム１２４４と、表示有効期間カラム１２４５と、提供場所カラム１２４６と、短時間広告コンテンツカラム１２４７と、長時間広告コンテンツカラム１２４８と、クリップ情報カラム１２４９とを含む。
【００５２】
広告コンテンツＩＤカラム１２４１は、広告コンテンツＩＤを格納する。表示条件カラム１２４２は、各広告コンテンツのそれぞれを表示するための周辺の予測状態の条件である表示条件を格納する。基準時カラム１２４３は、いつの周辺の予測状態を採用するかという予測状態の基準時を格納する。基準時カラム１２４３の値は、「１時間後」等のように、現在時刻からの経過時間を示す値であってもよいし、「２０１６／０３／０１  １９：００−２０１６／０３／０１  ２０：００」のように時刻を示す値であってもよい。また、例えば、基準時カラム１２４３の値は、現在時刻及び現在時刻から所定時間後まで、または、広告対象の販売またはサービス提供の予測開始時刻から予測完了時刻までのように複数の時刻を表すものであってもよい。属性情報カラム１２４４は、各広告コンテンツの属性情報を格納する。なお、属性情報カラム１２４４の値が、本発明の「広告コンテンツの種別」に相当する。表示有効期間カラム１２４５は、各広告コンテンツを表示する期間を格納する。提供場所カラム１２４６は、各広告コンテンツの提供場所を格納する。提供場所カラム１２４６の値は、地域名又は施設名であってもよいし、緯度及び経度によって表されてもよい。提供場所カラム１２４６の値は、地点を示す値であってもよいし、ある程度広がりを持つ地域を示す値であってもよい。短時間広告コンテンツカラム１２４７は、各広告コンテンツのうち、出力時間が比較的短時間の広告コンテンツへのリンクを格納する。長時間広告コンテンツカラム１２４８は、各広告コンテンツのうち、出力時間が比較的長時間の広告コンテンツへのリンクを格納する。クリップ情報カラム１２４９は、各広告コンテンツと関連したＵＲＩ（Uniform Resource Identifier）を格納する。
【００５３】
なお、図４においては、説明の便宜のため、シナリオの表示順に上から下にメタデータを並べている。
【００５４】
システムデータ管理部１２５は、例えば、予め管理者によって登録されたデジタルサイネージシステム１００の位置情報及びデジタルサイネージシステム１００のライセンス情報を含むシステムデータを格納する。
【００５５】
属性設定管理部１２６は、携帯端末２００から受信した、後述する携帯端末２００のユーザ（視聴者Ａ１又は視聴者Ａ２）の属性設定を記憶するように機能する。
【００５６】
（携帯端末の構成）
デジタルサイネージシステム１００と通信する各携帯端末２００は、図２Ｃに示されるように、端末制御部２１０と、端末記憶部２２０と、タッチパネル２３０と端末通信部２４０とを備える。
【００５７】
端末制御部２１０は、ＣＰＵ（Ｃｅｎｔｒａｌ  Ｐｒｏｃｅｓｓｉｎｇ  Ｕｎｉｔ）及びメモリ等により構成された電子回路ユニットを含んで構成され、メモリに記憶された広告コンテンツ連動制御プログラムを読み込んで実行することにより、後述する演算処理を実行するように機能する。
【００５８】
端末記憶部２２０は、ＲＯＭ、ＲＡＭ及びＨＤＤ等の記憶装置（主記憶装置及び補助記憶装置等）並びにＩ／Ｏ回路により構成されている。端末記憶部２２０は、携帯端末２００のユーザ（視聴者Ａ１又は視聴者Ａ２）の性別、年齢、使用言語及び嗜好を示す属性設定２２１を記憶している。属性設定２２１の詳細については後述する。
【００５９】
タッチパネル２３０は、画像を表示する画像表示装置と、タッチパッド等の位置入力装置とが一体となって構成されている。画像表示装置と入力装置とが別個に構成されてもよい。また、携帯端末２００は、タッチパネル２３０に加えて又は代えて、入力装置としてのマイク及び音声を出力するスピーカを備えてもよい。
【００６０】
端末通信部２４０は、ＷｉＦｉ（登録商標）等の無線通信に適した通信規格に従って付近のデジタルサイネージシステム１００等の外部端末と相互通信するよう構成されている。
【００６１】
（放送受信処理）
次に、図５及び図６を参照して、デジタルサイネージシステム１００が、放送送信所Ｂから放送波を受信する放送受信処理を説明する。この処理は、例えば１日に１度など一定間隔で実施される。
【００６２】
図５のＳＴＥＰ１０２において、情報受信制御部１１１は、システムデータ管理部１２５を参照することにより、システムデータを認識する。
【００６３】
図５のＳＴＥＰ１０４において、情報受信制御部１１１は、放送受信部１４１を介して、放送送信所Ｂから送信された放送波を受信する。放送波には、図６に示すように、コンテナ３００が含まれる。
【００６４】
コンテナ３００は、シナリオ群３１０と、複数の広告コンテンツ情報３２１〜３２３からなる広告コンテンツ情報群３２０と、周辺予測状態情報３３０とを含む。
【００６５】
図５のＳＴＥＰ１０６において、情報受信制御部１１１は、受信したコンテナ３００のシナリオ群３１０から、シナリオ３１１を抽出する。例えば、情報受信制御部１１１は、システムデータに含まれるデジタルサイネージシステム１００の位置情報から認識されるデジタルサイネージシステム１００の設置場所を含む地域用のシナリオ（例えば、関東用のシナリオ又は関西用のシナリオ）を抽出する。また、これに代えて又は加えて、情報受信制御部１１１は、システムデータに含まれるライセンス情報に基づいて、ライセンスされている広告コンテンツを表示するためのシナリオを抽出してもよい。
【００６６】
シナリオ３１１は、図６に示されるように、表示順に並べられた各広告コンテンツの広告コンテンツＩＤ３１２〜３１４を含む。
【００６７】
図５のＳＴＥＰ１０８において、情報受信制御部１１１は、抽出したシナリオ３１１をシナリオ管理部１２１に記憶する。
【００６８】
図５のＳＴＥＰ１１０において、情報受信制御部１１１は、図６に示されるように、広告コンテンツ情報３２１〜３２３から、メタデータＭと、短時間広告コンテンツＦ１と、長時間広告コンテンツＦ２とを分離する。メタデータＭには、広告コンテンツＩＤＭ１、表示条件Ｍ２、基準時Ｍ３、属性情報Ｍ４、表示有効期間Ｍ５、提供場所Ｍ６、短時間広告コンテンツファイル名Ｍ７及び長時間広告コンテンツファイル名Ｍ８が含まれている。
【００６９】
図５のＳＴＥＰ１１２において、情報受信制御部１１１は、短時間広告コンテンツＦ１と、長時間広告コンテンツＦ２とを広告コンテンツ管理部１２３に記憶させ、メタデータＭをメタデータ管理部１２４に記憶させる。情報受信制御部１１１は、提供場所Ｍ６がデジタルサイネージシステムの位置情報から所定距離内である広告コンテンツ情報を抽出し、周辺予測状態情報管理部１２２に記憶してもよい。
【００７０】
図５のＳＴＥＰ１１４において、情報受信制御部１１１は、図５のＳＴＥＰ１１０〜図５のＳＴＥＰ１１２の処理を行っていない未処理の広告コンテンツ情報があるか否かを判定する。
【００７１】
当該判定結果が肯定的である場合（図５のＳＴＥＰ１１４でＹＥＳ）、情報受信制御部１１１は、図５のＳＴＥＰ１１０の処理を実行する。
【００７２】
当該判定結果が否定的である場合（図５のＳＴＥＰ１１４でＮＯ）、情報受信制御部１１１は、図５のＳＴＥＰ１１６の処理を実行する。
【００７３】
図５のＳＴＥＰ１１６において、情報受信制御部１１１は、周辺予測状態情報を周辺予測状態情報管理部１２２に記憶する。情報受信制御部１１１は、デジタルサイネージシステムの位置情報を含む一部地域だけの周辺予測状態情報を抽出し、周辺予測状態情報管理部１２２に記憶してもよい。なお、図５のＳＴＥＰ１１６が、本発明のデジタルサイネージシステムの「周辺予測状態情報受信ステップ」に相当する。
【００７４】
（携帯端末連動処理）
図７〜図９を参照して、各携帯端末２００と連動して広告コンテンツを表示する携帯端末連動処理を説明する。この処理は、デジタルサイネージシステム１００が動作している状況において恒常的に実行されてもよいし、例えば１２：００〜１３：００など特定の時間帯において実行されてもよいし、１時間ごとなど、一定間隔で実行されてもよい。
【００７５】
図７のＳＴＥＰ１２０において、広告コンテンツ出力制御部１１２は、後述する広告コンテンツ表示処理を実行する。これにより、システム画像表示部１３０に一つの広告コンテンツが表示される。
【００７６】
携帯端末２００の広告コンテンツ連動制御プログラムが読み込まれて実行されると、図７のＳＴＥＰ２０２において、端末制御部２１０は、図８Ａに示される属性入力画面Ｐ１をタッチパネル２３０に表示する。
【００７７】
属性入力画面Ｐ１には、携帯端末２００のユーザの性別及び年齢等のユーザの基本情報を表示する基本情報表示Ｐ１１と、携帯端末２００のユーザの嗜好を設定するための嗜好設定表示Ｐ１２と設定ボタンＰ１３が含まれている。
【００７８】
基本情報表示Ｐ１１は、ユーザの基本情報は、携帯端末２００に記憶されているユーザの基本情報を含んでもよいし、広告コンテンツ連動制御プログラムの初回起動時に登録された情報を含んでもよい。
【００７９】
嗜好設定表示Ｐ１２は、広告対象の各属性に対し、興味があるかないかを示すチェックボックスを含んでいる。これに代えて、興味の程度を３以上の複数段階で示す数値選択ボックスを含んでもよい。
【００８０】
嗜好設定表示Ｐ１２は、安売情報等の時間帯が限られたサービスに対する嗜好、雨具又は日よけ等の天候に関する商品に対する嗜好、及び屋内レジャー又は屋外レジャー等の天候に応じて選択されうるサービスに対する嗜好のチェックボックスを含んでいる。
【００８１】
なお、端末制御部２１０は、タッチパネル２３０を介して設定ボタンＰ１３に対する押圧操作がなされたことを検知すると、図９に示される属性設定２２１を端末記憶部２２０に記憶する。
【００８２】
属性設定２２１は、ユーザの基本情報２２２と、広告コンテンツに設定された属性に対する興味のありなしを示すユーザの嗜好情報２２３とを含んでいる。
【００８３】
図７のＳＴＥＰ２０４において、端末制御部２１０は、端末通信部２４０を介して接続可能なデジタルサイネージシステム１００を探索する。
【００８４】
図７のＳＴＥＰ２０６において、端末制御部２１０は、接続可能なデジタルサイネージシステム１００を検出したか否かを判定する。
【００８５】
当該判定結果が否定的である場合（図７のＳＴＥＰ２０６でＮＯ）、端末制御部２１０は、図７のＳＴＥＰ２０４の処理を実行する。
【００８６】
当該判定結果が肯定的である場合（図７のＳＴＥＰ２０６でＹＥＳ）、図７のＳＴＥＰ２０８において、端末制御部２１０は、検出されたデジタルサイネージシステム１００に対して所定のパケットを送信することにより、デジタルサイネージシステム１００との接続を確立させる。
【００８７】
図７のＳＴＥＰ１２２において、広告コンテンツ出力制御部１１２は、受信したパケットに基づいて、携帯端末２００との接続を確立させる。
【００８８】
図７のＳＴＥＰ２１０において、端末制御部２１０は、端末記憶部２２０に記憶された属性設定２２１を端末通信部２４０を介してデジタルサイネージシステム１００に送信する。
【００８９】
図７のＳＴＥＰ１２４において、広告コンテンツ出力制御部１１２は、受信した属性設定２２１を属性設定管理部１２６に記憶する。なお、この属性設定２２１は、携帯端末２００が遠方に離れる等により携帯端末２００との接続が切断された時点で削除される。
【００９０】
図７のＳＴＥＰ１２５において、広告コンテンツ出力制御部１１２は、接続している携帯端末２００から後述するクリップ押圧情報を受信したか否かを判定する。
【００９１】
当該判定結果が肯定的である場合（図７のＳＴＥＰ１２５でＹＥＳ）、広告コンテンツ出力制御部１１２は、図７のＳＴＥＰ１２６において、シナリオ管理部１２１を参照して現在表示している広告コンテンツの広告コンテンツＩＤを認識し、メタデータ管理部１２４を参照して当該広告コンテンツＩＤに関連付けられたクリップ情報を認識し、当該クリップ情報を接続されている携帯端末２００に送信する。
【００９２】
当該判定結果が否定的である場合（図７のＳＴＥＰ１２５でＮＯ）、広告コンテンツ出力制御部１１２は、図７のＳＴＥＰ１２８に進む。
【００９３】
図７のＳＴＥＰ１２８において、広告コンテンツ出力制御部１１２は、表示している広告コンテンツの表示時間が過ぎたか否かを判定する。
【００９４】
当該判定結果が肯定的である場合（図７のＳＴＥＰ１２８でＹＥＳ）、広告コンテンツ出力制御部１１２は、図７のＳＴＥＰ１２０の広告コンテンツ表示処理を実行する。
【００９５】
当該判定結果が否定的である場合（図７のＳＴＥＰ１２８でＮＯ）、広告コンテンツ出力制御部１１２は、図７のＳＴＥＰ１２２に進む。
【００９６】
図７のＳＴＥＰ２１２において、端末制御部２１０は、図８Ｂに示されるデジタルサイネージシステム１００の操作画面Ｐ２を表示する。操作画面Ｐ２は、属性入力ボタンＰ２１と、クリップボタンＰ２２と、終了ボタン２３とを含む。
【００９７】
図７のＳＴＥＰ２１４において、端末制御部２１０は、タッチパネル２３０を介して属性入力ボタンＰ２１に対する押圧操作を検知したか否かを判定する。
【００９８】
当該判定結果が肯定的である場合（図７のＳＴＥＰ２１４でＹＥＳ）、図７のＳＴＥＰ２１６において、端末制御部２１０は、図８Ａに示される属性入力画面Ｐ１を表示する。
【００９９】
図７のＳＴＥＰ２１８において、端末制御部２１０は、入力された属性設定をデジタルサイネージシステム１００に送信する。
【０１００】
図７のＳＴＥＰ２１４の判定結果が否定的である場合（図７のＳＴＥＰ２１４でＮＯ）又は図７のＳＴＥＰ２１８の処理の後、端末制御部２１０は、図７のＳＴＥＰ２２０の処理に進む。
【０１０１】
図７のＳＴＥＰ２２０において、端末制御部２１０は、タッチパネル２３０を介してクリップボタンＰ２２に対する押圧操作を検知したか否かを判定する。
【０１０２】
当該判定結果が肯定的である場合（図７のＳＴＥＰ２２０でＹＥＳ）、図７のＳＴＥＰ２２１において、端末制御部２１０は、端末通信部２４０を介してクリップボタンＰ２２に対する押圧操作を検知したことを示すクリップ押圧情報をデジタルサイネージシステム１００に送信する。
【０１０３】
図７のＳＴＥＰ２２２において、端末制御部２１０は、端末通信部２４０を介してデジタルサイネージシステム１００からクリップ情報を受信したか否かを判定する。
【０１０４】
当該判定結果が肯定的である場合（図７のＳＴＥＰ２２２でＹＥＳ）、図７のＳＴＥＰ２２３において、端末制御部２１０は、図８Ｃに示されるクリップ情報確認画面Ｐ３を表示する。クリップ情報確認画面Ｐ３は、クリップ情報のＵＲＩ（図８ＣではＵＲＬ）を表示するＵＲＩ表示Ｐ３１と、クリップ情報のＵＲＩにリンクされたクリップ情報表示ボタンＰ３２と、クリップ情報の表示のキャンセルを行うためのキャンセルボタンＰ３３とを含む。クリップ情報のＵＲＩは、図４のクリップ情報カラム１２４９から認識されうる。端末制御部２１０は、タッチパネル２３０を介してクリップ情報表示ボタンＰ３２に対する押圧操作を検知した場合、端末通信部２４０を介してＵＲＩ表示Ｐ３１に示されるＵＲＩにアクセスし、ＷＥＢページを取得してタッチパネル２３０に表示する。
【０１０５】
図７のＳＴＥＰ２２０又は図７のＳＴＥＰ２２２の判定結果が否定的である場合（図７のＳＴＥＰ２２０でＮＯ又は図７のＳＴＥＰ２２２でＮＯ）、端末制御部２１０は、図７のＳＴＥＰ２２４の処理に進む。なお、図７のＳＴＥＰ２２２の判定結果が否定的である場合、端末制御部２１０は、再度図７のＳＴＥＰ２２２の処理を実行してもよい。
【０１０６】
図７のＳＴＥＰ２２４において、端末制御部２１０は、タッチパネル２３０を介して終了ボタンＰ２３に対する押圧操作を検知したか否かを判定する。
【０１０７】
当該判定結果が肯定的である場合（図７のＳＴＥＰ２２４でＹＥＳ）、端末制御部２１０は、広告コンテンツ連動制御プログラムの処理を終了する。
【０１０８】
当該判定結果が否定的である場合（図７のＳＴＥＰ２２４でＮＯ）、端末制御部２１０は、図７のＳＴＥＰ２１２に進む。
【０１０９】
（広告コンテンツ表示処理）
次に、図１０を参照して、図７のＳＴＥＰ１２０の広告コンテンツ表示処理を説明する。
【０１１０】
図１０のＳＴＥＰ１４２において、広告コンテンツ出力制御部１１２は、シナリオ管理部１２１に記憶されたシナリオと現在表示している広告コンテンツの広告コンテンツＩＤを参照して、次に表示される広告コンテンツのコンテンツＩＤを認識する。なお、現在表示している広告コンテンツがない場合又は現在表示している広告コンテンツがシナリオの最後の広告コンテンツである場合には、広告コンテンツ出力制御部１１２は、シナリオの先頭の広告コンテンツの広告コンテンツＩＤを次の表示される広告コンテンツのコンテンツＩＤとして認識する。
【０１１１】
図１０のＳＴＥＰ１４４において、広告コンテンツ出力制御部１１２は、メタデータ管理部１２４を参照して、現在時刻が当該コンテンツＩＤの表示有効期間内か否かを判定する。なお、現在時刻はシステム制御部１１０の時計機能から取得される。
【０１１２】
当該判定結果が肯定的である場合（図１０のＳＴＥＰ１４４でＹＥＳ）、広告コンテンツ出力制御部１１２は、図１０のＳＴＥＰ１４６の処理へ進む。
【０１１３】
当該判定結果が否定的である場合（図１０のＳＴＥＰ１４４でＮＯ）、広告コンテンツ出力制御部１１２は、図１０のＳＴＥＰ１４２の処理へ進む。
【０１１４】
図１０のＳＴＥＰ１４６において、広告コンテンツ出力制御部１１２は、属性設定管理部１２６に属性設定が記憶されているか否かを判定する。
【０１１５】
当該判定結果が肯定的である場合（図１０のＳＴＥＰ１４６でＹＥＳ）、広告コンテンツ出力制御部１１２は、図１０のＳＴＥＰ１４８の処理へ進む。
【０１１６】
当該判定結果が否定的である場合（図１０のＳＴＥＰ１４６でＮＯ）、広告コンテンツ出力制御部１１２は、図１０のＳＴＥＰ１５２の処理へ進む。
【０１１７】
図１０のＳＴＥＰ１４８において、広告コンテンツ出力制御部１１２は、広告コンテンツＩＤと属性設定管理部１２６に記憶された属性設定に基づいて、メタデータ管理部１２４に記憶されている広告コンテンツの属性情報とマッチしている属性設定の数を認識する。
【０１１８】
例えば、図１１Ａに示されるように、視聴者Ａ１の属性設定として、「軽食、屋外レジャー、屋内レジャー、安売り情報、・・」に興味あり、「雨具、日よけ用品、・・」に興味なしが記憶され、視聴者Ａ２の属性設定として、「軽食、安売り情報、屋内レジャー、・・」に興味あり、「屋外レジャー、雨具、日よけ用品、・・」に興味なしが記憶され、広告コンテンツＩＤが「１」である場合は、広告コンテンツ出力制御部１１２は、広告コンテンツＩＤ「１」の属性情報「屋外レジャー」（図４参照）にマッチしている「屋外レジャー」に興味ありの属性設定の数は１であると判定する。
【０１１９】
図１０のＳＴＥＰ１５０において、広告コンテンツ出力制御部１１２は、属性情報にマッチしている属性設定の数が１以上であるか否かを判定する。
【０１２０】
当該判定結果が肯定的である場合（図１０のＳＴＥＰ１５０でＹＥＳ）、広告コンテンツ出力制御部１１２は、図１０のＳＴＥＰ１５２の処理へ進む。
【０１２１】
当該判定結果が否定的である場合（図１０のＳＴＥＰ１５０でＮＯ）、広告コンテンツ出力制御部１１２は、図１０のＳＴＥＰ１４２の処理へ進む。
【０１２２】
図１０のＳＴＥＰ１５２において、広告コンテンツ出力制御部１１２は、現在時刻とメタデータ管理部１２４とを参照することにより、基準時刻を認識する。
【０１２３】
例えば、現在時刻が１０:００時である場合、広告コンテンツ出力制御部１１２は、図４に示されるメタデータ管理部１２４に記憶されたリストから、広告コンテンツＩＤが「１」である基準時「１時間後」を認識し、現在時刻「２０１６／０３／０１  １０:００」と当該基準時「１時間後」を基に、基準時刻「２０１６／０３／０１  １１：００」を認識する。なお、基準時カラム１２４３の値が複数の時刻で表されている場合には、基準時刻として、当該複数の時刻を認識する。
【０１２４】
図１０のＳＴＥＰ１５４において、広告コンテンツ出力制御部１１２は、周辺予測状態情報管理部１２２とシステムデータ管理部１２５とを参照することにより、基準時刻及び現在地における周辺予測状態を認識する。なお、図１０のＳＴＥＰ１５４が、本発明のデジタルサイネージ方法の「周辺予測状態認識ステップ」に相当する。
【０１２５】
例えば、現在地「○○区の一地点」である場合、広告コンテンツ出力制御部１１２は、図３に示される周辺予測状態情報管理部１２２に記憶されたリストから、基準時刻「１１：００」及び予測対象場所「○○区」における周辺予測状態「晴  ０％  ２０℃」を認識する。基準時刻が開始時刻と終了時刻で表されている場合には、当該開始時刻及び終了時刻間の周辺予測状態を認識する。
【０１２６】
図１０のＳＴＥＰ１５６において、広告コンテンツ出力制御部１１２は、基準時刻及び現在地における周辺予測状態が表示条件を充足しているか否かを判定する。なお、図１０のＳＴＥＰ１５６が本発明のデジタルサイネージ方法の「抽出ステップ」に相当する。
【０１２７】
例えば、基準時刻が「２０１６／０３／０１  １１：００」であり、現在地が「○○区の一地点」であり、広告コンテンツが「１」である場合、広告コンテンツ出力制御部１１２は、図４に示されるメタデータ管理部１２４に記憶されたリストから、広告コンテンツＩＤが「１」である表示条件「晴」を認識し、基準時刻「２０１６／０３／０１  １１：００」及び予測対象場所「○○区」における周辺予測状態「晴  ０％  ２０℃」が、当該表示条件「晴」を充足していると判定する。なお、広告コンテンツ出力制御部１１２は、表示条件が「晴」である場合、周辺予測状態の天候が「晴」である場合に表示条件を充足していると判定してもよいし、周辺予測状態の降水確率が所定確率以下である場合に表示条件を充足していると判定してもよい。
【０１２８】
また、例えば、基準時刻が「２０１６／０３／０１  １１：００」であり、現在地が「○○区の一地点」であり、広告コンテンツが「２」である場合、広告コンテンツ出力制御部１１２は、図４に示されるメタデータ管理部１２４に記憶されたリストから、広告コンテンツＩＤが「２」である表示条件「雨」を認識し、基準時刻「２０１６／０３／０１  １１：００」及び予測対象場所「○○区」における周辺予測状態「晴  ０％  ２０℃」が、当該表示条件「雨」を充足していないと判定する。
【０１２９】
当該開始時刻及び終了時刻間の周辺予測状態が認識されている場合には、その開始時刻及び終了時刻間の周辺予測状態が常に表示条件に充足する場合に、図１０のＳＴＥＰ１５６の判定結果が肯定的と判断することが好ましい。
【０１３０】
当該判定結果が肯定的である場合（図１０のＳＴＥＰ１５６でＹＥＳ）、広告コンテンツ出力制御部１１２は、図１０のＳＴＥＰ１５８の処理へ進む。
【０１３１】
当該判定結果が否定的である場合（図１０のＳＴＥＰ１５６でＮＯ）、広告コンテンツ出力制御部１１２は、図１０のＳＴＥＰ１４２の処理へ進む。
【０１３２】
図１０のＳＴＥＰ１５８において、広告コンテンツ出力制御部１１２は、メタデータ管理部１２４を参照することにより、広告コンテンツの提供場所が現在地から所定距離内か否かを判定する。
【０１３３】
例えば、広告コンテンツ出力制御部１１２は、広告コンテンツの提供場所「○○区」が現在地「○○区の一地点」を含む地域である場合、図１０のＳＴＥＰ１５８の判定結果を肯定的と判定する。
【０１３４】
また、広告コンテンツ出力制御部１１２は、緯度及び経度で表された広告コンテンツの提供場所が緯度及び経度で表された現在地から所定距離内である場合、図１０のＳＴＥＰ１５８の判定結果を肯定的と判定してもよい。
【０１３５】
当該判定結果が肯定的である場合（図１０のＳＴＥＰ１５８でＹＥＳ）、広告コンテンツ出力制御部１１２は、図１０のＳＴＥＰ１６０の処理へ進む。
【０１３６】
当該判定結果が否定的である場合（図１０のＳＴＥＰ１５８でＮＯ）、広告コンテンツ出力制御部１１２は、図１０のＳＴＥＰ１４２の処理へ進む。
【０１３７】
図１０のＳＴＥＰ１６０において、広告コンテンツ出力制御部１１２は、属性情報にマッチする属性設定の数に応じてメタデータ管理部１２４を参照することにより、表示する広告コンテンツを選択する。
【０１３８】
例えば、広告コンテンツ出力制御部１１２は、属性情報にマッチする属性設定の数が接続されている携帯端末２００の数の所定割合（例えば８割）以上の場合に長時間広告コンテンツを選択し、所定割合未満の場合に短時間広告コンテンツを選択してもよい。
【０１３９】
例えば、接続されている携帯端末２００の数が「２」であり、属性情報にマッチする属性設定の数が「２」である場合、広告コンテンツ出力制御部１１２は、属性情報にマッチする属性設定の数「２」が接続されている携帯端末２００の数「２」の所定割合「８割」以上であるので、広告コンテンツＩＤ「１」の長時間広告コンテンツ「露天風呂イメージ(30秒)」を選択してもよい。
【０１４０】
また、接続されている携帯端末２００の数が「２」であり、属性情報にマッチする属性設定の数が「１」である場合、広告コンテンツ出力制御部１１２は、属性情報にマッチする属性設定の数「２」が接続されている携帯端末２００の数「１」の所定割合「８割」未満であるので、広告コンテンツＩＤ「１」の短時間広告コンテンツ「露天風呂イメージ(１５秒)」を選択してもよい。
【０１４１】
これに加えて又は代えて、広告コンテンツ出力制御部１１２は、属性情報にマッチする属性設定の数が所定数以上の場合に長時間広告コンテンツを選択し、所定数未満の場合に短時間広告コンテンツを選択してもよい。
【０１４２】
図１０のＳＴＥＰ１６２において、広告コンテンツ出力制御部１１２は、広告コンテンツをシステム画像表示部１３０に表示する。併せて、広告コンテンツ出力制御部１１２は、当該コンテンツのコンテンツＩＤをシナリオ管理部１２１に記録する。なお、図１０のＳＴＥＰ１６２が、本発明の「広告コンテンツ出力制御ステップ」に相当する。
【０１４３】
以上により、広告コンテンツ表示処理が終了する。
【０１４４】
（第１実施形態の作用効果）
第１実施形態のデジタルサイネージシステム１００によれば、情報受信制御部１１１が放送受信部１４１を介して受信した周辺予測状態情報を周辺予測状態情報管理部１２２に記憶する（図５のＳＴＥＰ１１６）。
【０１４５】
ここで、当該周辺予測状態情報には、天候、気温、降水確率、付近の施設の情報等、将来及び現在地における周辺の予測状態が含まれている。
【０１４６】
広告コンテンツ出力制御部１１２は、将来及び現在地における周辺の予測状態に基づいて、データ管理部１２０を参照することにより、現在時刻以降の基準時刻における現在地の周辺の予測状態が表示条件を充足する広告コンテンツを抽出し（図１０のＳＴＥＰ１５６でＹＥＳ）、当該広告コンテンツをシステム画像表示部１３０に表示する（図１０のＳＴＥＰ１６２）。
【０１４７】
この結果、システム画像表示部１３０に出力される広告コンテンツは、基準時刻における現在地の周辺の予測状態が表示条件を充足する広告コンテンツとなる。
【０１４８】
このため、視聴者Ａ１，Ａ２がその広告コンテンツに含まれる物又はサービス等の広告対象を購入又は享受するまでに時間がかかる場合でも、購入時又は享受時が当該所定の時間帯に含まれていれば、提供場所の周辺の状態が広告対象に適する蓋然性が高くなる。
【０１４９】
より具体的には、例えば、図１１Ａに示されるように、図３に示されるような周辺予測状態情報がある場合に、１０：００にデジタルサイネージに表示される広告コンテンツは、１０:００以降の基準時刻「２０１６／０３／０１  １１：００」に「晴」を表示条件とする「露天風呂イメージ（１５秒）」と、１０:００以降の基準時刻「２０１６／０３／０１  １３：００」に「雨」を表示条件とする「博物館イメージ（３０秒）」と、「２０１６／０３／０１  １０:００」以降の基準時刻「２０１６／０３／０１  １０：０５」に「２０℃以上」を表示条件とする「トロピカルジュース（２０秒）」とである。
【０１５０】
他方、「２０１６／０３／０１  １０：００」以降の基準時刻「２０１６／０３／０１  １３：００」に「晴」という表示条件が非充足の「遊園地イメージ」は表示されない。
【０１５１】
このように、将来における周辺の状態が広告対象に適する蓋然性が高い広告コンテンツがシステム画像表示部１３０に表示され、将来における周辺の状態が広告対象に適さない蓋然性が高い広告コンテンツのシステム画像表示部１３０への表示が回避される。
【０１５２】
このように、第１実施形態のデジタルサイネージシステム１００によれば、広告コンテンツ視聴時からの周辺の状態の変化を勘案した広告コンテンツが配信される。
【０１５３】
また、第１実施形態のデジタルサイネージシステム１００によれば、基準時刻における現在地の天候が所定の天候である場合に広告コンテンツがシステム画像表示部１３０に表示される。
【０１５４】
これにより、広告対象の購入時又は享受時における提供場所の天候が当該広告対象の購入意欲又は享受意欲を損なう蓋然性が高い場合における広告コンテンツの表示が回避される。
【０１５５】
また、第１実施形態のデジタルサイネージシステム１００によれば、現在地の周辺の予測状態が所定の状態であり（図１０のＳＴＥＰ１５６でＹＥＳ）、かつ、広告対象の属性情報が携帯端末２００から受信した視聴者Ａ１，Ａ２の属性設定と合致するという条件を充足する（図１０のＳＴＥＰ１５０でＹＥＳ）場合に、広告コンテンツが表示されるので、よりユーザの購入意欲又は享受意欲を刺激することが出来る。
【０１５６】
また、デジタルサイネージシステム１００は、広告コンテンツを表示中に携帯端末２００から属性設定を受信して記憶し（図７のＳＴＥＰ１２４）、次回以降の広告コンテンツ表示処理（図７のＳＴＥＰ１２０）において、当該属性設定に適する（図１０のＳＴＥＰ１５０でＹＥＳ）広告コンテンツをシステム画像表示部１３０に表示する（図１０のＳＴＥＰ１６２）。
【０１５７】
これにより、図１１Ｂに示されるように、当初雨具が視聴者Ａ１，Ａ２の嗜好に合致しなかった場合でも、視聴者Ａ１から雨具に興味ありとの属性設定を受信した場合には、図１１Ｃに示されるように、属性情報が「雨具」広告コンテンツ「傘イメージ（１０秒）」がシステム画像表示部１３０で再生される。
【０１５８】
従って、視聴者Ａ１の嗜好の変化に適したコンテンツがシステム画像表示部１３０に表示されるので、視聴者Ａ１の購買意欲又は享受意欲をより刺激することが出来る。
【０１５９】
加えて、この広告コンテンツは、基準時刻における現在地の周辺予測状態が表示条件を充足するものであるので（図１０のＳＴＥＰ１５６でＹＥＳ）、将来における周辺の状態が広告対象に適する蓋然性が高い。このため、視聴者Ａ１が興味を持っていても、将来における周辺の状態が広告対象に適さない蓋然性が高い場合には、広告コンテンツの表示が回避されるので、視聴者Ａ１のデジタルサイネージシステム１００への信頼を損なうこともない。
【０１６０】
また、複数の視聴者Ａ１，Ａ２のうち、所定割合以上又は所定数以上の視聴者が興味を持っている場合に、比較的長時間の広告コンテンツが選択され、所定割合未満又は所定数未満の視聴者が興味を持っている場合に、比較的短時間の広告コンテンツが選択される。
【０１６１】
これにより、興味を持っている視聴者の多寡に応じて広告コンテンツの再生時間の長短が決定される。
【０１６２】
（変形態様）
第１実施形態では、放送受信部１４１によりコンテナ３００を受信したが、これに代えて又は加えて、インターネット等のネットワークに接続された通信部が当該ネットワークを介してコンテナ３００をダウンロードしてもよい。また、予めシナリオ情報及びコンテンツ情報がシナリオ管理部１２１、広告コンテンツ管理部１２３及びメタデータ管理部１２４に記憶されていてもよい。
【０１６３】
（第２実施形態）
次に、図１２〜図１３を参照して、本発明の第２実施形態を説明する。第１実施形態と同一の構成については、同一の符号を付して詳細な説明を省略する。
【０１６４】
デジタルサイネージシステム４００は、移動体としての車両Ｖに搭載され、システム制御部１１０と、データ管理部１２０と、タッチパネル４３０と、放送受信部１４１と、ＧＰＳ受信機４５０と、マイク４６０とを備える。
【０１６５】
システム制御部１１０は、第１実施形態と同様に、情報受信制御部１１１及び広告コンテンツ出力制御部１１２として機能する。
【０１６６】
データ管理部１２０は、第１実施形態と同様に、シナリオ管理部１２１、周辺予測状態情報管理部１２２、広告コンテンツ管理部１２３、メタデータ管理部１２４、システムデータ管理部１２５及び属性設定管理部１２６を備える。
【０１６７】
放送受信部１４１は、第１実施形態の放送受信部１４１と同様の構成を有する。
【０１６８】
タッチパネル４３０は、第１実施形態のタッチパネル２３０と同様の構成を有しており、例えば車両Ｖに搭乗している視聴者Ａ３からの操作を受け付けるように機能する。
【０１６９】
ＧＰＳ受信機４５０は、ＧＰＳ（Global Positioning System）により測定された位置情報を受信できるように構成されている。
【０１７０】
マイク４６０は、音声の入力を受け付けるように構成されており、例えば車両Ｖに搭乗している視聴者Ａ３からの音声入力を受け付けるように機能する。
【０１７１】
（目的地に応じた広告コンテンツ表示処理）
図１３を参照して、目的地に応じた広告コンテンツ表示処理を説明する。この処理は、例えば、視聴者Ａ３が車両Ｖに搭乗したことをマイク４６０を介して検知したことを必要条件として実行されうる。
【０１７２】
図１３のＳＴＥＰ３２０において、広告コンテンツ出力制御部１１２は、タッチパネル４３０又はマイク４６０を介して入力された目的地を認識し、システムデータ管理部１２５に記憶する。
【０１７３】
図１３のＳＴＥＰ３２２において、広告コンテンツ出力制御部１１２は、予測到着時刻を認識する。予測到着時刻は、タッチパネル４３０又はマイク４６０を介して入力された時刻であってもよい。また、広告コンテンツ出力制御部１１２は、図示しないジャイロセンサから車両Ｖの速度を認識し、ＧＰＳ受信機４５０が受信した位置情報に含まれる位置と目的地までの距離と当該速度から到着までの時間を算出し、現在時刻と到着までの時間から予測到着時刻を算出してもよい。車両Ｖと通信することにより、車両Ｖの各種センサから出力される車両Ｖの速度を認識し、当該速度と目的地とＧＰＳ受信機４５０が受信した位置情報に含まれる位置とに基づいて予測到着時刻を算出してもよい。速度は、ある所定期間平均速度であることが好ましい。
【０１７４】
図１３のＳＴＥＰ３２４において、広告コンテンツ出力制御部１１２は、ＧＰＳ受信機４５０が受信した位置情報を認識する。
【０１７５】
図１３のＳＴＥＰ３２６において、広告コンテンツ出力制御部１１２は、図１３のＳＴＥＰ３２４で認識した位置情報に示される位置が、目的地から所定の第１距離内か否かを判定する。
【０１７６】
当該判定結果が否定的である場合（図１３のＳＴＥＰ３２６でＮＯ）、図１３のＳＴＥＰ３２８において、広告コンテンツ出力制御部１１２は、図１０に示される広告コンテンツ表示処理を実行した後、図１３のＳＴＥＰ３２４へ進む。
【０１７７】
当該判定結果が肯定的である場合（図１３のＳＴＥＰ３２６でＹＥＳ）、図１３のＳＴＥＰ３３０において、広告コンテンツ出力制御部１１２は、メタデータ管理部１２４を参照して、提供場所が目的地から第２距離内の広告コンテンツを抽出する。第２距離は第１距離よりも短い距離である。
【０１７８】
図１３のＳＴＥＰ３３２において、広告コンテンツ出力制御部１１２は、周辺予測状態情報管理部１２２を参照することにより、予測到着時刻における目的地の周辺予測状態を認識する。
【０１７９】
図１３のＳＴＥＰ３３４において、広告コンテンツ出力制御部１１２は、予測到着時刻における目的地の周辺予測状態が図１３のＳＴＥＰ３３０で抽出した広告コンテンツの表示条件を充足しているか否かを判定する。
【０１８０】
当該判定結果が否定的である場合（図１３のＳＴＥＰ３３４でＮＯ）、広告コンテンツ出力制御部１１２は、図１３のＳＴＥＰ３３０へ進み、異なる広告コンテンツを抽出する。
【０１８１】
当該判定結果が肯定的である場合（図１３のＳＴＥＰ３３４でＹＥＳ）、図１３のＳＴＥＰ３３６において、広告コンテンツ出力制御部１１２は、図１３のＳＴＥＰ３３０で抽出した長時間広告コンテンツをタッチパネル４３０に表示する。
【０１８２】
図１３のＳＴＥＰ３３８において、広告コンテンツ出力制御部１１２は、広告コンテンツ表示時間が経過したか否かを判定する。
【０１８３】
当該判定結果が否定的である場合（図１３のＳＴＥＰ３３８でＮＯ）、広告コンテンツ出力制御部１１２は、図１３のＳＴＥＰ３３８へ進む。
【０１８４】
当該判定結果が肯定的である場合（図１３のＳＴＥＰ３３８でＹＥＳ）、広告コンテンツ出力制御部１１２は、図１３のＳＴＥＰ３２４へ進む。
【０１８５】
（第２実施形態の作用効果）
第２実施形態のデジタルサイネージシステム４００によれば、ＧＰＳ受信機４５０を介して受信した位置情報に含まれる位置が、図１３のＳＴＥＰ３２０で入力された目的地から所定の第１距離内である場合に（図１３のＳＴＥＰ３２６でＹＥＳ）、目的地から所定の第２距離内の広告コンテンツが抽出され（図１３のＳＴＥＰ３３２）、当該広告コンテンツが表示される（図１３のＳＴＥＰ３３６）。
【０１８６】
これにより、目的地に近づいた視聴者Ａ３に対し、目的地に関連した広告コンテンツを視聴させることが出来るので、視聴者Ａ３の購買意欲又は享受意欲を刺激することが出来る。
【０１８７】
加えて、この広告コンテンツは、予測到着時刻における目的地の周辺予測状態が表示条件を充足するものであるので（図１３のＳＴＥＰ３３４でＹＥＳ）、将来における周辺の状態が広告対象に適する蓋然性が高い。このため、目的地に関連した広告コンテンツであっても、将来における周辺の状態が広告対象に適さない蓋然性が高い場合には、当該広告コンテンツの表示が回避されるので、視聴者Ａ３のデジタルサイネージシステム１００への信頼を損なうこともない。
【０１８８】
（第２実施形態の変形態様）
第２実施形態において、第１実施形態と同様に、広告コンテンツ出力制御部１１２が、通信部を介して付近の携帯端末と通信することにより、視聴者の属性設定を認識し、視聴者の属性設定に適した広告コンテンツを表示してもよい。
【０１８９】
第２実施形態において、目的地を認識することに代えてまたは加えて、経由地を認識してもよい。
【符号の説明】
【０１９０】
１００‥デジタルサイネージシステム、１１１‥情報受信制御部、１１２‥広告コンテンツ出力制御部、１２０‥データ管理部、１４１‥放送受信部（通信部）。
【要約】
【課題】
広告コンテンツ視聴時からの周辺の状態の変化を勘案した広告コンテンツを配信できるデジタルサイネージシステムを提供する。
【解決手段】
デジタルサイネージシステム１００は、周辺予測状態情報に含まれる将来の前記広告対象の提供場所の周辺の予測状態に基づいて現在時刻以降の所定の時間帯における前記提供場所の周辺の予測状態を認識し、データ管理部１２０を参照することにより前記所定の時間帯における前記提供場所の周辺の予測状態が前記表示条件を充足する広告コンテンツを抽出し、前記抽出された広告コンテンツを出力部１３０に出力する広告コンテンツ出力制御部１１２を備える。
【選択図】図１０【図１】
0006033482.tif 000002
【図２】
0006033482.tif 000003
【図３】
0006033482.tif 000004
【図４】
0006033482.tif 000005
【図５】
0006033482.tif 000006
【図６】
0006033482.tif 000007
【図７】
0006033482.tif 000008
【図８】
0006033482.tif 000009
【図９】
0006033482.tif 000010
【図１０】
0006033482.tif 000011
【図１１】
0006033482.tif 000012
【図１２】
0006033482.tif 000013
【図１３】
0006033482.tif 000014